(57)【要約】      （修正有）【課題】子供の成長に応じて買い替えをする必要がなく、また、子供の発達度合いによっては食事の際に食器を倒す恐れが少なく、子供に食事に対する興味を抱かせ、楽しみを与えることができる、子供用食器セットを提供する。【解決手段】食器セットは、プレート２０と当該プレート２０における第１係合相手部２５、第２係合相手部３０、第３係合相手部３５と係合する食器で構成される。プレート２０は、合成樹脂からなるほぼ板状のものである。尚、熱可塑性樹脂が好ましく、ポリプロピレンが好ましい。また、前記第１係合相手部２５と第２係合相手部３０、第３係合相手部３５は当該プレート２０と一体成型されている。第１係合相手部２５の形状は、側面部と底部を有する平面視ほぼ円形であり底部に行くにしたがい縮径され言わばテーパー状の断面視形状である円錐台型状を呈するものである。【選択図】図２
0003187961.tif 000002
【実用新案登録請求の範囲】
【請求項１】
少なくとも複数の食器と、それらを配置するプレートとからなる食器セットであって、前記複数の食器を、前記プレートにおける複数の係合相手部に、それぞれ係脱可能に載置することを特徴とする子供用食器セット
【請求項２】
複数の食器における形状または大きさをのうち少なくともいずれか一方をそれぞれ異なるものとし、プレートにおける複数の係合相手部に前記複数の食器を、それぞれ係脱可能に載置することを特徴とする請求項１記載の子供用食器セット
【請求項３】
複数の食器の少なくとも１つに当該食器の回転を阻止するための係止部を設け、その食器と対応するプレートにおける係合相手部に係止相手部を設け、前記食器とプレートが係脱可能でありかつ回転不能に係止されていることを特徴とする請求項１または２記載の子供用食器セット
【考案の詳細な説明】
【技術分野】
【０００１】
本考案は、子供用食器セットに関するものである。
【背景技術】
【０００２】
子供が成長していくに従い、初めはミルクだったものが離乳食を経て通常の食事に移行する。この場合ミルクから固形食に移行する過程で離乳食を与えることになる。なお離乳食と云っても、はじめはほぼ流動食であり固形物がほとんどないものである。従って、その流動食から始めて、食事に慣れていくにしたがい徐々に固形物を増やし最終的には通常の食事に移行する。
【０００３】
この、離乳食を与える際に初めて食器を使用することになるが、上記のとおり水分が大部分を占める初めの離乳食の場合は、比較的深めの食器が好ましい。また、子供が成長していくにしたがい、食欲が増すことで徐々に食事の量も多くなり、離乳食当初からは量も種類も増えることになる。従って、徐々に、食事の量及び内容によって使用している食器を変更しなければならず、最終的には何種類もの食器を購入しなければならない事態も予想される。
【０００４】
一方で、実用新案登録第３０４１２８２号公報において開示されているいわゆるワンプレートと呼ばれる食器を使用する場合もある。このワンプレートと呼ばれるものは、大きめの食器の内部に複数の仕切りを設け、複数の仕切りに仕切られた区画に、異なる料理を配置することによって、１つのプレートで複数の食べ物を提供することができるものである。
【０００５】
しかしながら、上記のように離乳食を始める当初は食事量が少なくまた種類も少ないことから、ワンプレートを使用した場合においては１つ仕切りしか使用せず、他の仕切りが空いてしまうという場合がある。また離乳食を始めた幼児にとっては手に余るものであり、ひっくり返してしまうといった事態も予想される。また、ワンプレートは食器に比べ比較的底が浅く、水分が大部分を占める初めの離乳食に使用する場合は適当ではない。
【０００６】
また、そのワンプレートに口を近付けて食べるという場合があり食事のマナーに反するといった事態も予想される。一方で、従来の食器を使用した場合において、メニューの種類が増えてくると当該食器を複数用意しなければならず、いずれも子供の成長に伴い買い替えあるいは買い増しを余儀なくさせられる。また、それら複数の食器をテーブルに並べることもできるが、子供の発達度合いによっては食器を倒してしまう場合がありこれについても何ら対策が施されたものはない。特に物ごころのつかない乳幼児であれば、なおさらである。
【０００７】
また、食事は子供の体の成長に欠かせないものであるが、食事は、親子のコミュニケーションを図る手段としても重要であり、心の成長にも欠かせないものである。従って、食物を摂取するための食事だけではなく、楽しみながら親子のコミュニケーションを図るということも求められている。
【０００８】
【特許文献１】実用新案登録第３０４１２８２号公報
【考案の開示】
【考案が解決しようとする課題】
【０００９】
本考案の課題は、子供の成長に応じた食器を提供するとともに、買い替えをする必要のない食器を提供することを目的とする。また、子供の発達度合いによって食事をする際に食器を倒してしまう恐れの少ない食器を提供することを目的とする。また、子供に食事に対する興味を抱かせかつ楽しみを与えることのできる子供用食器セットを提供することを目的とする。
【００１０】
本考案は少なくとも複数の食器と、それらを配置するプレートとからなる食器セットであって、前記複数の食器を、前記プレートにおける複数の係合相手部に、それぞれ係脱可能に載置するという手段を講じたものである。
【００１１】
ここで係脱可能に載置するとは、プレート上に食器を載置した場合に食器を横から押しても倒れにくいが、この食器のみに上方への力を加えた場合に、プレートはそのまま持ちあげられることなく当該食器のみを持ち上げることができ、当該食器のみを取り出せることをいう。すなわち食器に対する横方向の力には係合し、持ち上げる方向の力には、その係合から脱することができるということである。さらに云えば、食器に対して横方向の力に対しては食器とプレートが係合することによって食器が倒れるのを防ぐことができるのに対し、食器に対してほぼ垂直に力を加えた場合においてプレートは、その食器の動きに引きずられることなく当該食器のみをプレートから持ち上げることができ、食器の上方への動きにプレートが追随しないということである。従って、仮にプレート上に載置されている食器を子供が持ち上げた場合に、当該食器のみが持ち上がり、プレートそのものは持ち上がることがないために、プレート上に置かれた他の食器の中身をこぼす恐れが極めて少なくなるというものである。
【００１２】
また食器とは、主として皿を云い、椀も含まれ料理を入れることができる器であればその形状あるいは名称を問わない。なお、食器がプレートにおける係合相手部と係合しているが、食器の一部と、係合する場合であってもよい。たとえば、少なくとも容器部の側面部とプレートにおける係合相手部として係合するということでも好ましい。側面部が係合すれば、上述のとおり、ワンプレート上に食器を載置した場合に食器を横から押しても倒れないが、この食器のみに対して上方に力を加えた場合に、当該食器のみが持ち上がり、プレートはそれに引きずられることなく持ちあがらないからである。
【００１３】
また、本考案は、複数の食器における形状または大きさをのうち少なくともいずれか一方をそれぞれ異なるものとし、プレートにおける複数の係合相手部に前記複数の食器をそれぞれの係脱可能に載置するという手段を講じたものである。食器と係合相手部の大きさあるいは形状のすくなくとも一方が異なるために、複数の食器とプレートにおける複数の係合相手部との対応関係が１対１となり、例えば小さめの食器と大きめの食器の係合相手部はそれぞれ異なり、所定の係合相手部とのみ係合することになる。またこれ以外の他の食器と他の係合相手部は、異なる形状であり、例えば、係合相手部が平面視半長円状ともいうべき形状である場合は、この形状を有する食器とそれと対応する前記係合相手部を有するためにこれらについても対応関係が１対１となるというものである。従って、子供が、まだ幼い場合において、１つ１つの食器をあらかじめ定められた位置にセットすることができるために云わば、はめえパズルのように楽しみながら食事の準備をすることができる。よって食事の準備を通じて親子の良好なコミュニケーションを図ることができるというものである。
【００１４】
また、本考案は、複数の食器の少なくとも１つに当該食器の回転を阻止するための係止部を設け、その食器と対応するプレートにおける係合相手部に係止相手部を設け、前記食器とプレートが係脱可能でありかつ回転不能に係止されるという手段を講じたものである。尚、ここで係止するとは、食器がプレートの係止相手部に係止されると、食器がプレートに対して水平面上の回転が阻止されることを云うが、係脱可能であることから、プレートに対して食器の回転が阻止されるもののプレート上に食器を載置した場合に食器を横から押しても倒れないが、この食器のみに上方への力を加えた場合に、当該食器のみが持ち上がり、プレートは持ちあがらないことをいう。
【考案の効果】
【００１５】
本考案は以上のように構成されかつ作用するものであり、子供の成長に応じた食器を提供するとともに、買い替えをする必要のない食器を提供することができる。また、子供の成長度合いにかかわらず食事をする際に食器を倒してしまう恐れの少ない食器を提供することができる。また、子供に食事に対する興味を抱かせかつ楽しみを与えることのできる食器を提供することができる。
【考案を実施するための最良の形態】
【００１６】
以下、図示の実施形態を参照して本考案をより詳細に説明する。図１は、プレート上に複数の食器を載置した子供用食器セットの斜視図である。図２はプレートの平面図である。図３は、図２におけるプレートのＤ−Ｄ線断面図である。図４は、図２におけるプレートのＥ−Ｅ線断面図である。図５は、図２におけるプレートのＦ−Ｆ線端面図である。図６において、Ａは食器４０の平面図、Ｂは食器４０のＧ−Ｇ線断面図である。図７において、Ａは食器５０の平面図、Ｂは食器５０のＨ−Ｈ線断面図である。図８において、Ａは食器６０の平面図、Ｂは食器６０のＩ−Ｉ線断面図である。図９は、図１におけるＡ−Ａ線端面図である。図１０は、図１におけるＢ−Ｂ線端面図である。図１１は、図１におけるＣ−Ｃ線端面図である。
【００１７】
本考案に係る食器セット１０は、プレート２０と当該プレート２０における第１係合相手部２５、第２係合相手部３０、第３係合相手部３５と係合する食器４０、５０、６０で構成される。プレート２０は、合成樹脂からなるほぼ板状のものである。尚、熱可塑性樹脂が好ましく、ポリプロピレンが好ましい。また、前記第１係合相手部２５と第２係合相手部３０、第３係合相手部３５は当該プレート２０と一体成型されている。第１係合相手部２５の形状は、側面部２６と底部２７を有する平面視ほぼ円形であり底部２７に行くにしたがい縮径され言わばテーパー状の断面視形状である円錐台型状を呈するものである。すなわち、その第１係合相手部２５の開口部分よりも底部２７が狭い尻すぼまり状である。
【００１８】
第１係合相手部２５には、係止相手部２８が形成されている。後述する食器４０における係止部４１と係止される。これにより食器４０は、プレート２０において一定の位置で係止される。すなわち、食器４０がプレート２０に対して回転不能に係合することができる。実施例のように、食器セット１０が、物語の主人公を模したいわゆるキャラクター商品である場合にプレート２０に対する食器４０の位置を係止部４１によって確定することによって、このキャラクター模した食器４０を正しい位置で再現することができる。従って食器を準備する乳幼児にとって絵合わせの要領で楽しみながら食事の準備を手伝うことができる。
【００１９】
また、上記のとおりプレート２０はほぼ板状のものであり、第１係合相手部２５の大部分はプレート２０の下部２１から突出した構成である。またプレート２０の外周は、せり上がり部２２であり、プレート２０全体としてお盆としての役割も果たしている。本実施例では、プレート２０にセットされる食器４０、５０、６０の数は３枚であるがこれに限られることはない。
【００２０】
第２係合相手部３０の形状は、側面部３１と底部３２を有する平面視ほぼ円形であり底、第１係合相手部２５よりも平面視形状が若干小さな平面視ほぼ円形状を呈し、底部３２に行くにしたがい縮径され言わばテーパー状の断面視形状である円錐台型状を呈するものである。すなわち、その第２係合相手部３０の開口部分よりも底部３２が狭い尻すぼまり状である。また、上記と同様にプレート２０は板状のものであるから、第２係合相手部３０の大部分はプレート２０の下部２１から突出した構成である。
【００２１】
第３係合相手部３５は、側面部３６と底部３７を有し平面視ほぼ半長円形状であり底部３７に行くに従いその第３係合相手部３５の開口部分よりも底部３７が狭い云わば尻すぼまり状を呈している。従ってこれも断面視テーパー状を呈するものである。また、第３係合相手部３５はほぼ半円形の凹部であり、その底部はプレート２０の下部２１から突出した構成である。尚、上記のとおり第１係合相手部２５と第２係合相手部３０、及び第３係合相手部３５はそれぞれ抜き勾配を考慮したものでありその勾配の角度は、第１係合相手部２５は１５度前後、第２係合相手部３０、及び第３係合相手部３５は５度前後が好ましいが、これには限られない。
【００２２】
このように上記第１係合相手部２５と第２係合相手部３０、及び第３係合相手部３５はそれぞれ異なる大きさ及び形状を有している。従って後述するようにこれに係合する食器は、それぞれ異なり、上記第１係合相手部２５には食器４０が、第２係合相手部３０には食器５０が、第３係合相手部３５には食器６０がそれぞれ係合し、食器と、係合相手部は１対１の関係である。
【００２３】
またプレート２０にフォーク７０やスプーン７１を置くための載置部３７、３８を有している。当該載置部３７、３８は、平面視ほぼ長方形である。また、上記第１第係合相手部２５と第２係合相手部３０、及び第３係合相手部３５よりも底が浅い凹部であるので当該載置部３７、３８もプレートの下部２１から突出するがその突出量は前記第１係合相手部２５と第２係合相手部３０及び第３係合相手部３５よりも小である。
【００２４】
従って、プレート２０をテーブルに載置した場合に、前記第１係合相手部２５と第２係合相手部３０、及び第３係合相手部３５におけるプレート２０の下部２１からの突出量よりも載置部３７、３８の突出量が少ないのでガタついてしまう。そのため、当該載置部３７、３８の底に脚３７ａ、３８ａを設け、それらの突出量を合わせることによりそのガタつきを抑えている。
【００２５】
上記プレート２０における第１係合相手部２５と係合する食器４０は、容器部４２と鍔部４３、４３を有し、当該容器部４２は側面部４２ａと底部４２ｂを有するものであり、料理を収納する部分である。容器部４２は円錐台形状を呈するものである。換言すれば断面視形状がテーパー状であり、底部４２ｂに行くにしたがい縮径された形状である。この側面部４２ａの勾配は１５度前後である。また、底部４２ｂの平面視形状はほぼ円形である。側面部４２ａに係止部４１を有し、該係止部４１は側面部４２ａから突出するように構成されている。本実施例では、係止部４１は、食器４０の容器部４２における側面部４２ａに１か所有するものであるが、それ以上設けることを妨げるものではない。
【００２６】
また、鍔部４３、４３は、食器４０を持つための取っ手としての役割を果たすものである。本実施例ではキャラクターの特徴的部分を模している。従って、このキャラクターをプレート２０上で再現するためにはプレート２０上における一定の位置に食器４０を配置しなければならない。本実施例では、上述のとおり、食器４０に係止部４１を有しているために、プレート２０に対して正対した位置に係止することができる。すなわち、平面上で回転が阻止されるということになる。従って特徴的な鍔部４３、４３はそれぞれ斜め上方に配置されるために、キャラクターを正しく再現することができる（図１参照）。これはとくに乳幼児にとって重要であり、食事の準備をするために、係止部４１を第１係合相手部２５における係止相手部２７に係止すれば、正対したキャラクターを的確に表現することができるために、いわば幼児期の成功体験に資するものとなるのである。尚、本実施例のように高台４６を付加しても好ましく、このように高台４６を付加することにより食器４０をもち上げやすくすることができる。
【００２７】
上記プレート２０における第２係合相手部３０と係合する食器５０は、容器部５２と複数の鍔部５３ａ、５３ｂを有し、当該容器部５２は側面部５２ａと底部５２ｂを有するものであり、料理を収納する部分である。容器部５２は円錐台形状を呈するものである。換言すれば断面視形状がテーパー状であり、底部５２ｂに行くにしたがい縮径された形状である。この側面部５２ａの勾配は５度前後である。また、底部５２ｂの平面視形状はほぼ円形である。また、複数の鍔部５３ａ、５３ｂは、食器５０をもつための取っ手としての役割を果たすものである。また、高台５６を付加しても好ましく、このように高台５６を付加することにより食器５０をもち上げやすくすることができる。
【００２８】
上記プレート２０における第３係合相手部３５と係合する食器６０については、容器部６２と鍔部６３を有し、当該容器部６２は側面部６２ａと底部６２ｂを有するものであり、料理を収納する部分である。また、底部６２ｂは、平面視略半長円形状であり、側面部６２ａの断面視形状がテーパー状である。また、この勾配は５度前後である。また、複数の鍔部５３ａ、５３ｂは、食器５０をもつための取っ手としての役割を果たすものである。鍔部６３は、食器６０をもつための取っ手としての役割を果たすものである。また、高台６６を付加しても好ましく、このように高台６６を付加することにより食器６０をもち上げやすくすることができる。
【００２９】
乳児が、成長するに従いミルクから離乳食に移行する場合に、その移行当初はまだ、食が細くそれほど大きな食器は必要ないために例えば食器４０のみを単独で使用して食事を与えることができる。また徐々に、食事する量が増し、種類も増えていくにしたがい、食器４０のほか食器５０、６０をも使用する。この場合にこれらの食器４０、５０、６０を従来のテーブルに並べて使用することが可能である。尚、子供の成長度合いによっては、保護者が目を離したすきに上記の食器４０等に手を伸ばしてしまい当該食器４０を転倒させてしまう場合が無いとも云えない。これは当該食器４０の限られずほとんどの子供用食器に当てはまるものである。従って当該食器４０、５０、６０を単独で使用したからと云って、転倒しやすいといったことはない。
【００３０】
このように、子供の発育度合いによっては、テーブルの上に置かれた食器を転倒させてしまう場合が無いとは云えず、また、使用する食器の種類が増えてくると保護者が、すべての食器について注意をするのが困難になる。このような場合に、プレート２０の第１係合相手部２５に食器４０を載置し、第２係合相手部３０に食器５０、第３係合相手部３５に食器６０を載置することができる。
【００３１】
食器４０をプレート２０に載置した場合において、本実施例では第１係合相手部２５の深さよりも、食器４０の深さのほうが深い状態であるが、仮に乳幼児が、食器４０を横方向に押した場合であっても、食器４０はプレート２０における第１係合相手部２５と係合しているので、食器４０をひっくり返す可能性が低いものとなる。これに対して今度はその食器４０内に入れられた食べ物を食す場合においては、その食器４０を手で持ち上げる必要がある。その場合はその食器４０のみを持ち上げれば、プレート２０が持ち上がることなく当該食器４０を口元に近付けることができる。すなわち、上記のとおり第１係合相手部２５および食器４０は、いずれも底部２７あるいは底部４２ｂに行くにしたがい縮径された形状を呈し、いずれも断面視形状がテーパー状である。従って、上記のとおりプレート２０上に食器４０を載置した場合に食器４０を横から押しても倒れにくいが、この食器４０のみに上方への力を加えた場合に、プレート２０はそのまま持ちあげられることなく当該食器４０のみを持ち上げることができ、当該食器４０のみを取り出せるものである。すなわち食器４０をプレート２０における第１係合相手部２５に載置した状態で当該食器４０に対する横方向の力には係合するが、持ち上げる方向の力すなわち垂直上方への力には、その係合から脱することができる。従って、プレート２０における第１係合相手部２５に、係脱可能に食器４０を載置することができる。なお、プレート２０における第１係合相手部２５における側面部２６の抜き勾配を、食器４０の容器部４２の側面部４２ａの抜き勾配よりも大とすることでプレート２０における第１係合相手部２５に、係脱可能に食器４０を載置することができる。例えば、食器４０の容器部４２の側面部４２ａの抜き勾配が１５度の場合、プレート２０における第１係合相手部２５における側面部２６の抜き勾配を１５度以上とすることである。従ってその場合は、第１係合相手部２５における側面部２６の抜き勾配と、食器４０の容器部４２の側面部４２ａの抜き勾配を同じ角度にするよりも食器４０の上方への動きにプレート２０は追従しにくくなる。
【００３２】
また、食器５０をプレート２０に載置した場合において、第２係合相手部３０の深さよりも、食器５０の深さのほうが深い状態であるが、仮に乳幼児が、食器５０を横方向に押した場合であっても、食器５０はプレート２０における第２係合相手部３０と係合しているので、食器５０をひっくり返す可能性が低いものとなる。これに対して今度はその食器５０内に入れられた食べ物を食す場合においては、その食器５０を手で持ち上げる必要がある。その場合はその食器５０のみを持ち上げれば、プレート２０が持ち上がることなく当該食器５０を口元に近付けることができる。すなわち、上記のとおり第２係合相手部３０および食器５０は、いずれも底部３２あるいは底部５２ｂに行くにしたがい縮径された形状を呈し、いずれも断面視形状がテーパー状である。従って、上記のとおりプレート２０上に食器５０を載置した場合に食器５０を横から押しても倒れにくいが、この食器５０のみに上方への力を加えた場合に、プレート２０はそのまま持ちあげられることなく当該食器５０のみを持ち上げることができ、当該食器５０のみを取り出せるものである。すなわち食器５０をプレート２０における第２係合相手部３０に載置した状態で当該食器５０に対する横方向の力には係合するが、持ち上げる方向の力すなわち垂直上方への力には、その係合から脱することができる。従って、プレート２０における第２係合相手部３０に、係脱可能に食器５０を載置することができる。なお、プレート２０における第２係合相手部３０における側面部３１の抜き勾配を、食器５０の容器部５２の側面部５２ａの抜き勾配よりも大とすることでプレート２０における第２係合相手部３０に、係脱可能に食器５０を載置することができる。例えば、食器５０の容器部５２の側面部５２ａの抜き勾配が５度の場合、プレート２０における第２係合相手部３０における側面部３１の抜き勾配を５度以上とすることである。従ってその場合は、第２係合相手部３０における側面部３２の抜き勾配と、食器５０の容器部５２の側面部５２ａの抜き勾配を同じ角度にするよりも食器５０の上方への動きにプレート２０は追従しにくくなる。
【００３３】
また、食器６０をプレート２０に載置した場合において、第３係合相手部３５の深さよりも、食器６０の深さのほうが深い状態であるが、仮に乳幼児が、食器６０を横方向に押した場合であっても、食器６０はプレート２０における第３係合相手部３５と係合しているので、食器６０をひっくり返す可能性が低いものとなる。これに対して今度はその食器６０内に入れられた食べ物を食す場合においては、その食器６０を手で持ち上げる必要がある。その場合はその食器６０のみを持ち上げれば、プレート２０が持ち上がることなく当該食器６０を口元に近付けることができる。すなわち、上記のとおり第３係合相手部３５および食器６０は、いずれも底部３６あるいは底部６２ｂに行くにしたがい縮径された形状を呈し、いずれも断面視形状がテーパー状である。従って、上記のとおりプレート２０上に食器６０を載置した場合に食器６０を横から押しても倒れにくいが、この食器６０のみに上方への力を加えた場合に、プレート２０はそのまま持ちあげられることなく当該食器６０のみを持ち上げることができ、当該食器６０のみを取り出せるものである。すなわち食器６０をプレート２０における第３係合相手部３５に載置した状態で当該食器６０に対する横方向の力には係合するが、持ち上げる方向の力すなわち垂直上方への力には、その係合から脱することができる。従って、プレート２０における第３係合相手部３５に、係脱可能に食器６０を載置することができる。なお、プレート２０における第３係合相手部３５における側面部３６の抜き勾配を、食器６０の容器部６２の側面部６２ａの抜き勾配よりも大とすることでプレート２０における第３係合相手部３５に、係脱可能に食器６０を載置することができる。例えば、食器６０の容器部６２の側面部６２ａの抜き勾配が５度の場合、プレート２０における第３係合相手部３５における側面部３６の抜き勾配を５度以上とすることである。従ってその場合は、第３係合相手部３５における側面部３６の抜き勾配と、食器６０の容器部６２の側面部６２ａの抜き勾配を同じ角度にするよりも食器６０の上方への動きにプレート２０は追従しにくくなる。
【００３４】
これは上述のとおり第１係合相手部２５の形状は、平面視ほぼ円形であり底部２７に行くにしたがい縮径され言わばテーパー状の断面視形状である円錐台型状を呈するものである。従って、食器４０の断面視形状の抜き勾配と同様あるいは大であるために、食器４０を持ち上げる動作にプレート２０が引きずられることがないために、他の食器５０、６０に影響を及ぼすこともない。また、第２係合相手部３０および第３係合相手部３５も同様である。よって、プレート２０に食器４０、５０、６０を載置することによって、子供がまだ成長していない乳幼児の場合において保護者が、すべての食器について注意を払うのが困難であるという煩わしさから解放されて、子供に真摯に向き合うことができ、食事の際にも親子のコミュニケーションを図ることができる。また、いわゆるワンプレートではこのプレートに口を近づけて食事をする場合があり、このような食事のスタイルはあまり好ましくないが、本考案に係る食器セットでは上記のとおりであることから、かかる不都合を防止することができいわゆる食事のマナーを学ぶことができる。
【００３５】
また、食器４０、５０、６０はそれぞれ大きさあるいは形状が異なり、前記第１係合相手部２５、第２係合相手部３０、第３係合相手部３５と１対１の関係である。すなわち、食器４０は、前記第１係合相手部２５に載置することができ、食器５０は前記第２係合相手部３０に載置することができ、食器６０は前記第３係合相手部３５に載置することができる。従って、子供は、ハメ絵パズルの要領で、食器４０、５０、６０とプレート２０における所定の前記第１係合相手部２５、第２係合相手部３０、第３係合相手部３５の組み合わせを楽しむことができる。また子供の成長に合わせあらかじめ決められた上記第１係合相手部２５、第２係合相手部３０、第３係合相手部３５に食器４０、５０、６０をセットすることにより食事の用意をすることができ、食事の準備の手伝いを経験させることもできる。また、食べ終わった食器４０、５０、６０を所定の前記第１係合相手部２５、第２係合相手部３０、第３係合相手部３５に載置することで、上記食器を上記所定の係合部に係合することができるので、この場合においてもはめえパズルの要領で楽しむことも可能である
【図面の簡単な説明】
【００３６】
【図１】プレート上に複数の食器を載置した子供用食器セットの斜視図。
【図２】プレートの平面図。
【図３】図２におけるプレートのＤ−Ｄ線断面図。
【図４】図２におけるプレートのＥ−Ｅ線断面図。
【図５】図２におけるプレートのＦ−Ｆ線端面図。
【図６】Ａは食器４０の平面図、Ｂは食器４０のＧ−Ｇ線断面図。
【図７】Ａは食器５０の平面図、Ｂは食器５０のＨ−Ｈ線断面図。
【図８】Ａは食器６０の平面図、Ｂは食器６０のＩ−Ｉ線断面図。
【図９】図１におけるＡ−Ａ線端面図。
【図１０】図１におけるＢ−Ｂ線端面図。
【図１１】図１におけるＣ−Ｃ線端面図。
【符号の説明】
【００３７】
１０、食器セット
２０、プレート
２５、第１係合相手部
２７、係止相手部
３０、第２係合相手部
３５、第３係合相手部
４０、食器
４１、係止部
５０、食器
６０、食器
【図１】
0003187961.tif 000003
【図２】
0003187961.tif 000004
【図３】
0003187961.tif 000005
【図４】
0003187961.tif 000006
【図５】
0003187961.tif 000007
【図６】
0003187961.tif 000008
【図７】
0003187961.tif 000009
【図８】
0003187961.tif 000010
【図９】
0003187961.tif 000011
【図１０】
0003187961.tif 000012
【図１１】
0003187961.tif 000013
【手続補正書】
【提出日】平成25年10月21日(2013.10.21)
【手続補正１】
【補正対象書類名】実用新案登録請求の範囲
【補正対象項目名】全文
【補正方法】変更
【補正の内容】
【実用新案登録請求の範囲】
【請求項１】
少なくとも複数の食器と、それらを配置する複数の係合相手部を有するプレートとからなる食器セットであって、前記複数の食器のうち少なくとも１つは底部と断面視テーパー状を呈する側面部を有し、前記複数の係合相手部のうち少なくとも一つは底部と断面視テーパー状を呈する側面部を有し、前記食器を前記係合相手部に、係脱可能に載置することを特徴とする子供用食器セット
【請求項２】
複数の食器の少なくとも１つに当該食器の回転を阻止するための係止部を設け、その食器と対応するプレートにおける係合相手部に係止相手部を設け、前記食器とプレートが係脱可能でありかつ回転不能に係止されていることを特徴とする請求項１記載の子供用食器セット
【請求項３】
食器のうち少なくとも１つは、ほぼ平面視円形の底部と、ほぼ円形の鍔部を２つ有することを特徴とする請求項１または２記載の子供用食器セット